(57)【要約】      （修正有）【課題】洋服を人が着用したとき、ほぼ垂直に立って人の首の外を取り巻く衿台と、衿台に隣接し通常は折り畳まれて衿台の外を取り巻く衿を含む洋服に使用して、衿と衿台の相対位置を固定するための保持具を提供する。【解決手段】洋服を着用したときに、ほぼ垂直に立って首の周りを取り巻く衿台と、衿台に隣接し、折り畳まれたときには衿台の外を取り巻く衿を寝かせないようにするための保持具であって、前記衿台と前記衿に渡って伸びる所定の長さを有する芯部と、前記芯部の全体を受け入れる孔及びほぼ平面の裏面と、前記裏面を前記洋服の前記衿台及び前記衿に装着するための接着手段を有する包部、を含む保持具が開示される。【選択図】図１
2012085885.tif 000002
【特許請求の範囲】
【請求項１】
ほぼ垂直に立って首の周りを取り巻く衿台と、衿台に隣接し、折り畳まれたときには衿台の外を取り巻く衿を含む洋服の前記衿を寝かせないようにするための保持具であって、
前記衿台と前記衿に渡って伸びる所定の長さを有する芯部と、
前記芯部の全体を受け入れる孔及びほぼ平面の裏面と、前記裏面を前記洋服の前記衿台及び前記衿に装着するための接着手段を有する包部、
を含む保持具。
【請求項２】
前記芯部は、剛性を有する物質で作られている、請求項１の保持具。
【請求項３】
前記芯部は、木材、プラスチック、金属、紙、糊を含む薬品が染み込んだ布の少なくとも一つを含む、請求項１または２の保持具。
【請求項４】
前記芯部は板状である、請求項１乃至３のいずれか一項の保持具。
【請求項５】
前記芯部は棒状のものをＵ字型またはＯ字型に曲げて作られている、請求項１乃至３のいずれか一項の保持具。
【請求項６】
前記芯部の前記所定の長さは、前記洋服の前記衿台と前記衿の高さの和の３分の１より長い、請求項１乃至５のいずれか一項の保持具。
【請求項７】
前記包部は略封筒状である、請求項１乃至６のいずれか一項の保持具。
【請求項８】
前記包部は不織布で作られている、請求項１乃至７のいずれか一項の保持具。
【請求項９】
前記包部の接着手段は両面テープである、請求項１乃至８のいずれか一項の保持具。
【請求項１０】
ほぼ垂直に立って首の周りを取り巻く衿台と、衿台に隣接し、折り畳まれたときには衿台の外を取り巻く衿を含む洋服の前記衿を寝かせないようにする方法であって、
一組の芯部と包部であって、前記衿台と前記衿に渡って伸びる所定の長さを有する芯部と、前記芯部の全体を受け入れる孔及びほぼ平面の裏面と、前記裏面を前記洋服の前記衿台及び前記衿に装着するための接着手段を有する包部、を含む保持具を準備することと、
前記芯部を前記包部の前記孔に挿入して１つの保持具を形成することと、
前記包部の前記裏面をその両端が前記洋服の前記衿台と前記衿にそれぞれ位置するように前記包部の前記接着手段を用いて前記包部を前記洋服の前記衿台及び前記衿に装着すること、
を含む方法。
【請求項１１】
さらに、前記包部の前記接着手段は両面テープであること、を含む請求項１０の方法。
【発明の詳細な説明】
【技術分野】
【０００１】
本発明は、洋服を人が着用したとき、その人の首を取り囲む洋服の衿を所望の形状に固定するために使用される補助具に関し、特に、洋服を人が着用したとき、ほぼ垂直に立って人の首の外を取り巻く衿台と、衿台に隣接し通常は折り畳まれて衿台の外を取り巻く衿を含む洋服に使用して、衿と衿台の相対位置を固定するための保持具に関する。
【背景技術】
【０００２】
通常、洋服の衿は衿台に沿って寝かせて着るのが一般的であるが、場合によっては、衿を立たせる状態で着用する方がファッション性向上につながることがある。例えば、女性読者向けファッション誌には、多くのモデルがシャツやジャケットを、衿を立てた状態で着用する写真が多く掲載されている。しかし、実際には、素材や縫製の問題より、常時、美しい状態で衿を立たせるのは困難である。
【０００３】
これまで、衿を立たせる手段としては、衿に糊付けをしてアイロンをかけるのが広く用いられてきた。また、スタイリストなど特別の要職に就く者の間では、ファッション雑誌の撮影時などに安全ピンを使って立たせる方法が用いられていた。
【０００４】
また、洋服の衿を立たせるための専用用具の開発もなされてきた。
洋服に取り付けて、衿台及び衿の形状を固定するために用いられる着脱可能な外部カラーであって、略台形の形状を有し、衿及び／又は衿台にはピンやスナップを用いて取り付けられる外部カラーが知られている（特許文献１）。この着脱可能な外部カラーは、衿をほぼ覆い、衿より若干大きめである略台形の形状をしており、略台形の長辺の角には、衿と係合するポケットを含んでいる。この外部カラーのポケットに衿を入れ、外部カラーをキャップで衿及び／又は衿台に固定することによって、衿を立たせたままにすることができる。このカラーによって、洋服を着た時のファッション性のみならず、防寒性をも確保することができる。
【０００５】
また、通常は折り畳まれて衿台の外を取り巻く衿を有する洋服に使用して、衿台と衿の両方を立てた状態に保持するための留具が知られている（特許文献２）。この留具は、金、銀、プラチナ、アルミなどの金属、またはプラスチックのなどの物質で形成され、立てた状態の衿を、首の真後ろあたりに位置する衿の中央の前で挟んで保持するのに十分に長い逆Ｕ字状の全体形状と、衿台の首側表面に接し、逆Ｕ字状の一方の辺部を形成して首に沿う前直線部と、この直線部に連続し首の付け根から背中方向に向かって滑らかに曲がり傾斜する傾斜部と、衿の外周部に接し逆Ｕ字状の他方の辺部を形成し、前直線部と対向する後直線部を有する。この留具は、逆Ｕ字状の全体形状の剛性を十分に高くでき、衿を立たせやすくすることができる。
【０００６】
上記留具では、後直線部の表面に、洋服を着た人の後ろから見たときに目を引くアクセサリーとして働く装飾部を備えることによって、ファッション性の向上にも寄与することができる。ここで装飾部とは、立体的な花の造形や宝石、飾り、模様、塗装などである。
【０００７】
また、洋服の衿台と衿の両方に跨る骨組みを備え、立てた状態の衿に対して装着される保持具が知られている（特許文献３）。そのような保持具の例としては、略π字型の骨組みを有し、略π字型の横長の部分を通常は折り畳まれて衿台の外を取り巻く衿に、横長の部分から縦方向に延びる部分を、衿と衿台の両方に跨るように、両面テープなどの粘着テープ等の粘着体を用いて貼り付けて用いる保持具がある。このような保持具は、樹脂、紙、金属等を用いて作られ、この保持具が装着された衿台及び衿、特に衿の傾倒を防ぐことが出来る。この骨組み自体に粘着体を貼り付けて衿台及び衿に装着してもよいし、粘着体を貼り付けた別部材に対して骨組みを取り付け、その別部材と共に骨組みを襟部に装着してもよいし、骨組みを別部材である保持具の保護部材で覆うと共に保持具の保護部材を衿台及び衿に対して装着することもできる。
また、このように粘着テープ等を用いて衿台および衿に装着することによって、装着時に縫製が必要なく、また取り外し時に縫製を解く必要がない。
【先行技術文献】
【特許文献】
【０００８】
【特許文献１】国際公報ＷＯ  ２００９／０９４４０６
【特許文献２】特開２００９−２７９２１９
【特許文献３】特開２００４−４４００９
【発明の概要】
【発明が解決しようとする課題】
【０００９】
しかしながら、衿に糊付けをして衿を立たせる方法では、糊付けの手間が掛る上、頻繁に糊付けをすることは洋服の生地を痛めかねないという問題があった。
また、安全ピンを用いる方法では、洋服の着用時に安全ピンの存在による違和感を着用者が覚えるという問題があった。また、安全ピンを用いるためには洋服に孔を空けなくてはならず、安全ピンを取り去った後にもその孔が残ってしまうという問題もあった。さらに、安全ピンを洋服の衿に付けたときには、服を脱いだ最、安全ピンが人目に触れる問題がある。
【００１０】
また、洋服に取り付けて、洋服の衿の形状を固定するために用いられる着脱可能な外部カラーであって、略台形の形状を有し、衿及び／又は衿台にはピンやスナップを用いて取り付けられる外部カラーでは、外部カラーを衿に取り付けた時に、外部カラーが目立つ可能性があり、本来の衿をファッションとして生かせないという問題があった。
【００１１】
例えば、特許文献１に開示されているような、略台形の形状を有し、洋服の衿台または衿にピンやスナップを用いて取りつりける着脱式衿では、そのシャツやジャケットが持つ本来の衿の微妙なサイズ、形状、素材等を生かすことができないという問題があった。
また、ピンやスナップを用いてカラーを洋服に装着するため、生地に孔を空けることになる。しかも、コート等の生地の厚い服に用いる場合は、孔を空けることが必ずしも容易でないこともあるという問題があった。
【００１２】
例えば、特許文献２に開示されているような、金、銀、プラチナ、アルミなどの金属、またはプラスチックなどの物質で形成された逆Ｕ字状で、首の真後ろの衿台および衿を挟んで使用する留め具では、衿が衿台と垂直に立ってしまう。ファッション性向上のため衿を立てる場合、ほどよい折り返しが必要となるが、本留め具では折り返しの高さを調整することができない。しかも、留め具が、衿より長いため目立ちすぎてしまうという問題があった。
【００１３】
さらに、例えば、特許文献３に開示されているような、洋服の衿台と衿の両方に跨る骨組みを備え、立てた状態の衿に対して装着される保持具では、実際の実施形態としては、略π字型、一の字型、横に長いＴ字型の単一部材、又は複数の別対の部材が開示されているに過ぎず、このような保持具では、仮に保持具を別部材で覆うと共に、別部材を衿に対して装着しようとしても、容易ではないという問題があった。
【００１４】
また、特許文献３に開示されているような保持具では、保持具が装着されている洋服を着用すると、単一であるが横長の、または複数の保持具が、首の真後ろあたりに配置され、洋服を着る者の快適さを損なうという問題があった。
【００１５】
したがって、洋服の衿を寝かせないようにするための保持具であって、衿台及び衿に装着したときに目立たずに、洋服に確実に装着され、使用中に外れてしまうことも抑制され、さらに取り外しの困難さも少なく、取り外した後の洋服への痕跡も最小限となり、保持具の存在による洋服の着心地の犠牲が最小であるような保持具への要望がある。
【課題を解決するための手段】
【００１６】
本発明に従う、ほぼ垂直に立って首の周りを取り巻く衿台と、衿台に隣接し、折り畳まれたときには衿台の外を取り巻く衿を含む洋服の前記衿を寝かせないようにするための保持具は、前記衿台と前記衿に渡って伸びる所定の長さを有する芯部と、前記芯部の全体を受け入れる孔及びほぼ平面の裏面と、前記裏面を前記洋服の前記衿台及び前記衿に装着するための接着手段を有する包部、を含むことを特徴とする。
【００１７】
本発明に従う、ほぼ垂直に立って首の周りを取り巻く衿台と、衿台に隣接し、折り畳まれたときには衿台の外を取り巻く衿を含む洋服の前記衿を寝かせないようにする方法は、一組の芯部と包部であって、前記衿台と前記衿に渡って伸びる所定の長さを有する芯部と、前記芯部の全体を受け入れる孔及びほぼ平面の裏面と、前記裏面を前記洋服の前記衿台及び前記衿に装着するための接着手段を有する包部、を含む保持具を準備することと、前記芯部を前記包部の前記孔に挿入して１つの保持具を形成することと、前記包部の前記裏面をその両端が前記洋服の前記衿台と前記衿にそれぞれ位置するように前記包部の前記接着手段を用いて前記包部を前記洋服の前記衿台及び前記衿に装着すること、を含むことを特徴とする。
【発明の効果】
【００１８】
本発明に従えば、洋服の衿台及び衿に装着したときに目立たずに、確実に装着され、使用中に外れてしまうことも抑制され、さらに取り外しの困難さも少なく、取り外した後の洋服への痕跡も最小限となり、保持具の存在による洋服の着心地の犠牲が最小であるような、洋服を着用したときに、ほぼ垂直に立って首の周りを取り巻く衿台と、衿台に隣接し、折り畳まれたときには衿台の外を取り巻く衿を寝かせないようにするための保持具が提供される。
【図面の簡単な説明】
【００１９】
【図１】本発明に従う保持具の包部の正面図である。
【図２】図１のＣ−Ｃ線に沿った本発明に従う保持具の包部の断面図である。
【図３】本発明に従う保持具の芯部を示す図である。
【図４】本発明に従う保持部の包部に芯部を挿入した状態を示す図である。
【図５】本発明に従う保持具を洋服の衿台及び衿に装着した状態の側面断面図である。
【図６】本発明に従う保持具を洋服の衿台及び衿に装着した状態を背面から見た図である。
【図７】本発明の変形例に従う保持具の包部を示す図である。
【図８】本発明の変形例に従う保持具の芯部を示す図である。
【発明を実施するための形態】
【００２０】
（全般的な説明）
本発明のある態様に従う、ほぼ垂直に立って首の周りを取り巻く衿台と、衿台に隣接し、折り畳まれたときには衿台の外を取り巻く衿を含む洋服の前記衿を寝かせないようにするための保持具は、前記衿台と前記衿に渡って伸びる所定の長さを有する芯部と、前記芯部の全体を受け入れる孔及びほぼ平面の裏面と、前記裏面を前記洋服の前記衿台及び前記衿に装着するための接着手段を有する包部、を含むことを特徴とする。
【００２１】
ここで、「衿を寝かせないようにするための保持具」とは、洋服の衿を立たせることを含む。衿がほぼ水平、つまり衿台と衿が互いにほぼ直角をなるような状態は、衿は寝ていない状態である。「衿を寝かせる」とは首のまわりを衿台と衿が二重に取り巻いている状態、つまり衿台と衿が鋭角をなす状態を指すとする。逆に、衿台と衿が鈍角をなす状態は、「衿が寝ていない」状態であるとする。
【００２２】
ここで「洋服」とはシャツ、外套、コートなど衿を有するものであれば、男性用、女性用を問わないが、本態様に従う保持具は特に女性用の洋服に好適である。
【００２３】
現代の洋服は、一般に、折り返し線を境に、着用したときに首の周りを取り巻く衿台と折り畳まれたときには衿台の外を取り巻く衿を有し、本発明の保持具はそのような衿台及び衿を有する洋服への使用に好適である。
【００２４】
尚、本態様に従う保持具は、包部の接着手段を介して、洋服の内側の面上、すなわち装着者の身体に近い方の面上、人の首の骨の背後に配置されることが好ましい。このように配置することによって、衿をほぼ左右対称に立てることができる。また、このように配置することによって、ファッション性の犠牲を最小にしつつ、保持具を洋服に取り付けることによる洋服の着心地の変化を最小にすることができる。
しかしながら、洋服の衿台及び／又は衿のデザインによっては、保持具を首の背面の中央部に配置しなくても良いし、人の背骨の延長線方向、即ち垂直方向に配置しなくても良い。
本態様に従う保持具は、コンパクトに構成できるので、洋服の装着者が保持具の存在を最も気にならないように保持具を洋服に装着することが可能である。
【００２５】
ここで、「衿台と衿に渡って伸びる所定の長さ」とは、衿台の領域上の一点から、衿の領域上の一点に伸び、衿台及び衿に取り付けられたときに、衿台の折り畳みを防止することが出来る長さであればどんな長さでも良いが、一例として、おおよそ衿台または衿の高さと同等の長さ、即ち、衿を立てた時の衿台と衿の高さの和のほぼ半分程度を例示することができる。衿台または衿の高さとは、衿台または衿をそれぞれ横長の略台形と見たときに、その台形の高さに相当する長さである。
【００２６】
包部は、芯部のほぼ全体が入る孔を有している。しかし、芯部の先端部は、芯部を包部から取り出しやすいように、少しだけ包部から飛び出ていても良い。包部をこのように構成することによって、本発明に従う保持具を洋服の衿台及び衿に装着したときに、芯部は包部に覆われ見えなくすることができる。このようにすることによって、芯部はファッション性に影響を与えないので、芯部の部材の選択の自由度を高めることができる。
【００２７】
包部は長さを有し、その長さの両端は、包部を洋服の衿台及び衿に合わせたとき、衿台の領域内の一点と衿の領域内の一点に位置するような長さでる。包部の長さは、芯部の長さにのりしろを加えた程度の長さであっても良い。
【００２８】
包部は洋服の衿台及び衿に装着されるほぼ平面の裏面を有している。裏面とは、保持具を洋服に装着するときに、洋服への接着面となる面である。包部の裏面をほぼ平面に構成することによって、包部を洋服の衿台及び衿への装着は容易になる。包部の裏面の面積は、包部に芯部を入れた上で衿台及び衿に装着したときに、簡単に剥がれないだけの接着面積を確保できればどんな大きさでも良い。
【００２９】
ここで、「接着手段」とは、粘着テープであっても良い。粘着テープとして、両面に接着面を有する両面テープが好ましい。
【００３０】
このように接着手段を有する包部を備えることによって、洋服の衿台及び衿部に、包部の両端がそれぞれ衿台の領域内と衿の領域内に配置されるように装着することが可能である。
【００３１】
また、不織布などの柔らかい材料で作られている包部を両面テープで洋服の衿台と衿に装着することによって、洋服の衿を立てないときは、芯部を抜いた上で衿を折り畳んでしまうことができ、衿を立てたいときは包部に芯部を挿入すれば、洋服の衿を立てることができる。
【００３２】
また、本発明の保持具の包部を洋服から取り外したいときは、包部は両面テープなどの接着手段で装着されているだけなので、アイロンなどの用具を使わずに、洋服に残る痕跡を最小限にとどめつつ、取り外すことができる。
【００３３】
このように包部を構成することによって、本態様に従う保持具を装着した洋服を着用したときに、衿台と衿の相対的位置を固定できるので、衿を寝かせないようにすることができる。
【００３４】
尚、包部は装着される洋服、または本発明に従う保持具が装着された洋服を着る人の要望に従って、色付けされていても良い。好ましくは、包部の色は、保持具が装着される洋服の衿台および衿の色と同じ色である。
【００３５】
さらに、本態様の保持部材の芯部と包部のように、別個の部品を用意し、芯部は洋服の衿を立てるための剛性を確保する部材、包部は洋服のファッション性を失わないようにする、またはファッション性を高めつつ、それ自身を衿台及び衿に確実に装着させる部材、と役割を分担させることができる。
そして、例えば、芯部をコンパクトに構成しつつも、包部を衿台及び衿に確実に装着できるほどに十分大きく構成することによって、衿台及び衿に装着したときに目立たずに、確実に装着され、使用中に外れてしまうことも抑制され、さらに取り外しの困難さも少なく、取り外した後の洋服への痕跡も最小限となり、保持具の存在による洋服の着心地の犠牲が最小であるような保持具を得ることができる。
【００３６】
また、本態様において、洋服の衿台と衿の立ち具合、即ち、垂直方向に対する傾斜角は同一であっても良いし、同一でなくても良い。例えば、衿台はほぼ垂直に立っているが、衿は垂直よりは少し傾いて立っていても良い。本態様の保持具を使用する人の要望に応じて、芯部を任意に設計することによって、所望の状態に洋服の衿を立たせることができる。
【００３７】
しかも、洋服の衿の立て方を変えるためには、芯部のみを交換すれば良く、保持具全体を交換する必要はない。
さらに、芯部の材料によっては、使用中に衿の立て方を変化させることが可能である。例えば、気候の変化（風速、降雨状況、降雪状況、気温などの変化）に応じて衿を立てたいときに立てることが可能である。
【００３８】
本発明の別の態様に従う保持具は、芯部は剛性を有する物質で作られていることを特徴とする。
【００３９】
ここで物質が「剛性」を持つとは、芯部の機能である洋服の衿を立てたままに保持することを可能とするに十分な硬さであれば良いが、芯部は可撓性を有していても良いが、必ずしも可塑性を有することはなく、非可塑性の物質であっても良い。
【００４０】
本発明の別の態様に従う保持具は、芯部は、木材、プラスチック、金属、紙、糊を含む薬品が染み込んだ布の少なくとも一つを含むことを特徴とする。
【００４１】
ここで、「糊を含む薬品が染み込んだ布」とは、布に例えば糊を染み込ませることによって、洋服の衿を立てたままに保持するに十分な剛性を有するものを指しても良い。
【００４２】
木材、プラスチック、金属、紙、布などは容易に入手が可能であり、これらの材料を用いて本態様に従う保持具を作ることによって、安価に大量生産することを可能とする。
【００４３】
また、例えば、芯部を、非可塑性を有する金属で作ることによって、保持具を交換することなく、洋服を装着しながら洋服の衿の立て方を変化させることができる。
また、例えば、芯部を軽量であるが十分に大きな剛性を有するプラスチックで形成することによって、装着したときに違和感のない保持具を得ることができる。
【００４４】
本発明の別の態様に従う保持具は、芯部は板状であることを特徴とする。
【００４５】
ここで「板状」とは、表面の形状が長軸と短軸を含む略長方形で、所定の厚さを有する形状を言う。
板状の芯部の短軸方向の長さは、長軸方向の長さが、衿台の領域上の一点から、衿の領域上の一点に伸び、洋服の衿台及び衿に取り付けられたときに、衿台の折り畳みを防止することが出来る長さであればどんな長さであれば良いのに対し、特に条件付けされない。一例として、板状とはいいつつも、ほとんど針状であっても構わない。
しかしながら、芯部の長軸と短軸の比が２：１から５：１程度であれば、洋服の衿を立てやすい。
【００４６】
本発明の別の態様に従う保持具は、前記芯部は棒状のものをＵ字型またはＯ字型に曲げて作られていることを特徴とする。
【００４７】
ここで、「棒状のもの」とは針金のようなもので良い。そして、剛性の獲得のために、針金をＵ字型、Ｏ字型、またはコイル状に何回か巻いて芯部が形成されることが好ましい。
棒状のものとしては、針金の他、木や竹で作られた棒を例示することができる。
【００４８】
厚さは所望の剛性が確保できるのであれば、薄い方が好ましい。しかしながら、外套、コートに本発明の保持具を用いるときには、季節によっては強い風を受けることもあり、多少の厚さを有しても、剛性を確保した方が良い場合がある。このような場合にも、本態様の保持具は、板の厚さを調整し、十分な剛性を確保することによって、洋服の衿台及び衿に装着したときに目立たずに、洋服に確実に装着され、使用中に外れてしまうことも抑制され、さらに取り外しの困難さも少なく、取り外した後の洋服への痕跡も最小限となり、保持具の存在による洋服の着心地の犠牲が最小であるような保持具を得ることができる。
【００４９】
本発明の別の態様に従う保持具は、芯部の所定の長さは、洋服の衿台と衿の高さの和の３分の１より長いことを特徴とする。
【００５０】
芯部の長さをこのような長さとすることによって、確実に洋服の衿を立たせるだけの剛性を確保することが容易になる。
【００５１】
芯部をプラスチックで作る際の大きさとしては、長さは約３センチメートル、幅が約１．５センチメートル、厚さは１．０ミリメートルを例示することが出来る。しかしながら、芯部の大きさは、このサイズには限定されず、長さは約１．０センチメートルから１０センチメートル、幅は０．５センチメートルから５センチメートルであっても良い。また、厚さもプラスチックや金属や紙などであれば０．５ミリメートルから５ミリメートルであっても良い。
【００５２】
本発明の別の態様に従う保持具は、包部は略封筒状であることを特徴とする。
【００５３】
ここで、「封筒状」とは、例えば、同じ大きさの布を重ね合わせ、４辺のうち３辺を縫い合わせて形成されるような袋を指しても良い。
この場合、芯部の体積と包部の内容積がほぼ同一であることが好ましい。また、包部は筒状であっても良い。
【００５４】
本発明の別の態様に従う保持具は、包部は不織布で作られていることを特徴とする。
【００５５】
不織布は着色されていてもよく、その色は包部の色を洋服の色を考慮して選択することによって、本態様の保持具を装着した場合でも、ファッション性を失うことを防ぐことができる。
【００５６】
本発明に従う、ほぼ垂直に立って首の周りを取り巻く衿台と、衿台に隣接し、折り畳まれたときには衿台の外を取り巻く衿を含む洋服の前記衿を寝かせないようにする方法は、一組の芯部と包部であって、前記衿台と前記衿に渡って伸びる所定の長さを有する芯部と、前記芯部の全体を受け入れる孔及びほぼ平面の裏面と、前記裏面を前記洋服の前記衿台及び前記衿に装着するための接着手段を有する包部、を含む保持具を準備することと、前記芯部を前記包部の前記孔に挿入して１つの保持具を形成することと、前記包部の前記裏面をその両端が前記洋服の前記衿台と前記衿にそれぞれ位置するように前記包部の前記接着手段を用いて前記包部を前記洋服の前記衿台及び前記衿に装着すること、を含むことを特徴とする。
【００５７】
ここで、「一組の芯部と包部を準備する」ということは、１つの保持具のみを用いて衿を立てるということである。この一組の芯部と包部を含む１つの保持具は、前述のように、包部の接着手段を介して、洋服の内側の面上、すなわち装着者の身体に近い方の面上、人の首の骨の背後に配置されることが好ましい。
【００５８】
また、「保持具の裏面をその両端が洋服の衿台と衿にそれぞれ位置するように装着する」ことにより、洋服を着用したときに、ほぼ垂直に立って首の周りを取り巻く衿台と、衿台に隣接し、折り畳まれたときには衿台の外を取り巻く衿を寝かせないようにするための保持具であって、衿台及び衿に装着したときに目立たずに、確実に装着され、使用中に外れてしまうことも抑制され、さらに取り外しの困難さも少なく、取り外した後の洋服への痕跡も最小限となり、保持具の存在による洋服の着心地の犠牲が最小であるような保持具を用いて、洋服の衿を立たせることができる。
【００５９】
本発明の別の態様に従う、洋服の前記衿を寝かせないようにする方法は、さらに前記包部の前記接着手段は両面テープであること、を特徴とする。
【００６０】
（図示された実施形態の説明）
図１乃至６を参照して、本発明に従う、洋服の前記衿を寝かせないようにするための保持具について説明する。
【００６１】
図１は、本発明に従う保持具の包部を示す正面図、図１のＣ−Ｃ線に沿った本発明に従う保持具の包部の断面図、図３は本発明に従う保持具の芯部を示す図、図４は本発明に従う保持部の包部に芯部を挿入した状態を示す図、図５は本発明に従う保持具を洋服の衿台及び衿に装着した状態の側面断面図、そして、図６は本発明に従う保持具を洋服の衿台及び衿に装着した状態を背面から見た図である。
【００６２】
図１及び２に示されている保持具の包部１００は、不織布で作られている。包部１００の外形は、長さが約３センチメートル、幅が約１．５センチメートルである。左右両端に両端から縫い代分だけ内側に縫い目１０６と、長さ方向の一端にも縫い目１０８があり、包部１００は洋服の衿台及び衿に装着したときに上側の端に開口部を有する袋状になっている。作り方は、長さが約５センチメートル、幅が約１．５センチメートルほどの大きさの不織布を２枚用意し、それらを重ねて、幅方向の端から縫い代分だけ内側を、長さ方向に延びる線に沿って縫い付ける。さらに、洋服の衿台及び衿に装着したときに下側に向く端も同様に縫い付ける。そして、図２のように、包部の平面の一方に両面テープ１１０を貼付する。この両面テープは、包部を洋服の衿に付ける役割を果たす。このように形成される包部１００には、孔１０２が形成される。この孔１０２には、図３に示される芯部２００が挿入される。
【００６３】
また、包部１００は、装着される洋服の衿及び／又は衿台と同じ色をしている。図１に示されているように、無地のシャツの衿に装着される保持具では、包部１００はシャツの衿の色と同じ色である。
【００６４】
また、両面テープは、本保持具を用いて洋服の衿を立たせたときに、保持具が洋服から取れてしまわないだけの接着力を有しているが、同時に、使用後の保持具を容易に洋服から取り外せるように強力過ぎない接着力を有することが好ましい。
【００６５】
図３に示されているように、保持具の芯部２００は略長方形をしたプラスチックで作られている。長さは約３センチメートル、幅が約１．５センチメートル、厚さは１．０ミリメートルであり、包部の袋にほぼ全体が収まるような大きさである。
【００６６】
図４は、芯部２００が包部１００に挿入されて、保持具３００を形成している状態を示している。芯部２００は、破線で示されているようにほぼその全体が包部１００の袋の中に収まるが、芯部２００の先端部は、芯部２００を包部１００から取り出しやすいように、少しだけ包部から飛び出ている。
【００６７】
図５は、図３の保持具３００をシャツの衿５１０及び衿台５２０（まとめて５００）に装着した状態の断面図である。
図５では、保持具３００の長さは、衿の先端は自由に外側に撓むような長さであるが、保持具３００が衿の先端まで伸びていて、襟全体が立たされていても良い。
【００６８】
図６は本発明に従う保持具３００を洋服の衿台及び衿５００に装着した状態を服の表面（すなわち洋服の着用者の身体に近い側の面）から見た図であり、洋服の衿台及び衿５００のほぼ中央に、シャツの衿台５２０と衿５１０に跨って装着されている。
即ち、本発明に従う保持具３００を用いて洋服の衿を立てるには、芯部２００を包部１００の孔１０２に挿入し、保持具の包部１００の両面テープ１１０を介して、芯部２００は入った包部１００の裏面をその両端が洋服の衿台５２０と衿５１０にそれぞれ位置するように装着する。
【００６９】
（変形例）
図７および８を用いて本発明に従う保持具の変形例を説明する。
図７は、本発明の変形例に従う保持具の包部１１００を示す図である。
本態様に従う保持具の包部１１００は、２枚の不織布を重ね合わせ、左右の両端を、縫い代１１０４を残して、縫い目１１０６に沿って縫い合わせる。このようにして形成された包部１１００は、筒状である。この場合には、図７のように筒の幅を上から下に向かって、徐々に減少するように構成し、芯部の形状も包部１１００の孔１１０４に合わせて形成すれば、芯部が包部から抜け落ちることがない。
【００７０】
図８は、本発明の変形例に従う保持具の芯部１２００を示す図である。
芯部１２００は、直径が１ミリメートルを超える針金で形成され、その形状は略Ｕ字型である。この芯部１２００を包部１００に挿入して保持具を形成すると、装着しながら、衿の立て具合を自由に変更することができる。また、洋服の装着者は、保持具の存在感を強く覚えることなく、洋服の衿を確実に立てることが出来る。
【図１】
2012085885.tif 000003
【図２】
2012085885.tif 000004
【図３】
2012085885.tif 000005
【図４】
2012085885.tif 000006
【図５】
2012085885.tif 000007
【図６】
2012085885.tif 000008
【図７】
2012085885.tif 000009
【図８】
2012085885.tif 000010